(57)【要約】  【課題】  暗いときに照明等を用いることなくしかも綴じてある書類や表示シート等を読むことが可能なバインダあるいはファイリングを提供する。  【解決手段】  本体部に対して回動自在に取付けられている表紙を構成するパネル２０の内表面にフレーム２１を介してＥＬ素子シート２２を取付け、必要に応じてこのＥＬ素子シート２２を点灯させて面状光源とする。【選択図】  図３
2005019395.tif 000002
【特許請求の範囲】
【請求項１】
本体の機能面または内部を覆う回動可能なパネルの内側の表面に有機ＥＬ素子または無機ＥＬ素子から成る面状光源を取付けたことを特徴とするパネルの照明装置。
【請求項２】
前記パネルがバインダ、ファイリング、または帳簿の表紙であって、該表紙の内側の表面に前記面状光源を取付けることを特徴とする請求項１に記載のパネルの照明装置。
【請求項３】
前記パネルが物品を収納する収納体の蓋体であって、該蓋体の内表面に前記面状光源を取付けることを特徴とする請求項１に記載のパネルの照明装置。
【請求項４】
前記パネルが家具類の天板であって、該天板の内表面に前記面状光源を取付けることを特徴とする請求項１に記載のパネルの照明装置。
【請求項５】
本体側に熱可塑性樹脂の発泡シートが取付けられ、該発泡シートによって前記面状光源の光を反射することを特徴とする請求項１に記載のパネル照明装置。
【請求項６】
前記発泡シートは、平均発泡径が１００μｍ以下の微細気泡を有し、厚みが２００μｍ以上で、比重が０．７以下であることを特徴とする請求項５に記載のパネルの照明装置。
【発明の詳細な説明】
【技術分野】
【０００１】
本発明はパネルの照明装置に係り、とくに本体の機能面または内部を覆う回動可能なパネルの照明装置に関する。
【背景技術】
【０００２】
書類や表示を施したシート等を綴じておくために従来よりバインダ、ファイリング、帳簿等が広く用いられている。このようなバインダ、ファイリング、帳簿の表紙は板紙から構成され、さらにその表面にレザー等を取付けたものが広く用いられている。
【０００３】
また各種の物品を収納するための収納箱等には、その上部開口を閉塞するように蓋体を回動自在に取付けるようにし、不使用時においてはこの蓋体によって上部開口を閉塞し、これによって箱の内部に収納された物品を保護するようにしている。
【０００４】
バインダやファイリングに綴じられた書類や表示シートの内容を読む場合には、周囲を明るくしなければいけない。通常は室内の照明を点灯し、こによって上記書類や表示シートを読むようにしている。従って不必要に部屋全体を明るくしなければならないという問題がある。
【０００５】
また収納箱の蓋体を開いてその内部を見る場合に、周囲が暗いと中を見ることができず、照明を点灯しなければならない。
【発明の開示】
【発明が解決しようとする課題】
【０００６】
本発明はこのような問題点に鑑みてなされたものであって、暗いときにバインダやファイリングに綴じられている書類や表示シートを読む場合に、室内の照明を点灯することを要せず、あるいはまた収納体の内部に収納されている物品を蓋体を開いて確認する場合に、必ずしも部屋の照明を点けないで行なうことを可能にしたパネルの照明装置を提供することを課題とする。
【０００７】
本願発明の別の課題は、室内の照明等の照明手段を要することなくしかも閉じられている書類等を読むことが可能なバインダやファイリング等に用いて好適なパネルの照明装置を提供することである。
【０００８】
本願発明のさらに別の課題は、暗い雰囲気中でしかも照明を用いることなく書込むことが可能なメモ帳に用いて好適なパネルの照明装置を提供することである。
【０００９】
本願発明のさらに別の課題は、暗い中でしかも照明を用いることなく使用可能な携帯用電子辞典等の電子機器に用いて好適なパネルの照明装置を提供することである。
【００１０】
本願発明のさらに別の課題は、暗いときでもとくに照明を用いずに中を見ることが可能な収納装置に用いて好適なパネルの照明装置を提供することである。
【００１１】
本願発明のさらに別の課題は、暗い中でもなお照明を用いることなくデスクワーク等を行なうことが可能な机のパネルの照明装置を提供することである。
【００１２】
本願発明の上記の課題および別の課題は、以下に述べる本願発明の技術的思想および実施の形態によって明らかにされる。
【課題を解決するための手段】
【００１３】
本願の主要な発明は、本体の機能面または内部を覆う回動可能なパネルの内側の表面に有機ＥＬ（Ｅｌｅｃｔｒｏ  Ｌｕｍｉｎｅｓｃｅｎｃｅ）素子または無機ＥＬ素子から成る面状光源を取付けたことを特徴とするパネルの照明装置に関するものである。
【００１４】
ここで前記パネルがバインダ、ファイリング、または帳簿の表紙であって、該表紙の内側の表面に前記面状光源を取付けることが好ましい。また前記パネルが物品を収納する収納体の蓋体であって、該蓋体の内表面に前記面状光源を取付けることが好ましい。また前記パネルが家具類の天板であって、該天板の内表面に前記面状光源を取付けることが好ましい。また本体側に熱可塑性樹脂の発泡シートが取付けられ、該発泡シートによって前記面状光源の光を反射することが好ましい。また前記発泡シートは、平均発泡径が１００μｍ以下の微細気泡を有し、厚みが２００μｍ以上で、比重が０．７以下であることが好ましい。
【発明の効果】
【００１５】
本願の主要な発明は、本体の機能面または内部を覆う回動可能なパネルの内側の表面に有機ＥＬ素子または無機ＥＬ素子から成る面状光源を取付けたものである。
【００１６】
従ってこのようなパネルの照明装置によれば、この有機ＥＬ素子あるいは無機ＥＬ素子から成る面状光源が発生する光によって本体の機能面または内部を照らすことが可能になり、照明を点灯することなくしかも本体の機能面または内部を操作したり確認したりできるようになる。
【発明を実施するための最良の形態】
【００１７】
以下本願に含まれる発明を図示の実施の形態によって説明する。図１〜図３は第１の実施の形態のバインダを示すものであって、このバインダはその本体側が上側ベース１１と下側ベース１２とを備え、これらのベース１１、１２間に固定用プレート１３を挟着した構造になっている。そして上側ベース１１の上面に高い反射率を有する発泡シート１４が取付けられている。また上側ベース１１と下側ベース１２とにはそれぞれ切込み１５、１６が形成され、これらの切込み１５、１６にフック１７が取付けられている。
【００１８】
次に上記本体部に対して回動自在に取付けられるパネル２０の構造を説明する。パネル２０は額縁状のフレーム２１を備え、このフレーム２１とパネル２０との間にＥＬ素子シート２２が挟着される。なおＥＬ素子シート２２の左側の端部は押え板２３によって押えられる。パネル２０を本体部に回動自在に連結する左右一対のヒンジ２４は上側ベース１１の上面に取付けられたヒンジ受け２５によって回動自在に支持される。またフレーム２１にはその前縁に切込み２６が形成される。
【００１９】
このようなバインダは図２に示すように、その本体部に対してパネル２０がヒンジ２４によって回動自在に支持される。従ってパネル２０を図２Ａにおいて鎖線で示すように、垂直な状態で立てたり、あるいはまた図２Ｂに示すように背面側に斜めに倒すことが可能になる。そしてこのような回動自在のパネル２０を備えるバインダによって書類や表示シート等の各種の部材を挟むことが可能になる。
【００２０】
次にこのようなバインダのパネル２０の内表面に取付けられるＥＬ素子シート２２から成る照明装置について説明する。この照明装置は図４に示すように透明樹脂フィルムから成るベースフィルム３０を備えるとともに、このベースフィルム３０上にＩＴＯ透明電極から成る陽極３１が形成される。そして陽極３１上にホール注入層３２、ホール輸送層３３、発光層３４、電子輸送層３５、電子注入層３６が順次有機薄膜によって形成される。そして１番上側の電子注入層３６の上には陰極を構成する背面電極３７が取付けられる。
【００２１】
今スイッチ３９を閉じて直流電源３８によってＥＬ素子シート２２の陽極３１と陰極３７との間に電圧を印加すると、ＩＴＯ透明電極から成る陽極３１を通してホールが放出され、このホールがホール注入層３２およびホール輸送層３３を通して発光層３４に至る。これに対して背面電極３７側からは電子注入層３６に電子が注入され、この電子が電子輸送層３５を通して発光層３４に至る。
【００２２】
発光層３４において両側から来たホールと電子とが再結合する。すなわちマイナスの電荷を有する電子とプラスの電荷を有するホールとが互いに反応する。この再結合反応によって発光層３４の有機分子が刺激を受け、励起状態になる。すなわち発光層３４の分子は再結合エネルギによって安定した基底状態からエネルギの高い不安定な励起状態へとエネルギレベルを高め、この後直ちに元の状態に戻るときにエネルギを放出し、このエネルギの放出によって光が発生する。発光層３４から発せられた光はホール輸送層３３、ホール注入層３２、および透明電極膜３１を通してベースフィルム３０の表面から放出される。これによってＥＬ素子シート２２の表面であってその全面が明るく光ることになり、これによって面状光源となる。
【００２３】
次に上記本体部の上面に接合される発泡シート１４について説明する。この発泡シート１４は上記ＥＬ素子シート２２からの光を高い反射率で反射させるために用いられるものであって、熱可塑性ポリエステル発泡シートが用いられている。
【００２４】
このような熱可塑性ポリエステル発泡シートとしては、例えばポリエチレンテレフタレートやポリブチレンテレフタレート等の発泡体シートであり、平均気泡径が１００μｍ以下、より好ましくは５０μｍ以下の微細気泡を有し、かつ厚みが２００μ以上，より好ましくは５００μｍ以上で、比重が０．７以下のものが用いられる。
【００２５】
平均気泡径が１００μｍより大きいものは、光源からの光を受けたときに光がシートの内部にまで浸透したり、また気泡界面における乱反射の回数も減少することによって、光反射板としての拡散反射率が低下傾向を示すようになる。また平均気泡径は５０μｍ以下であることがより好ましい。しかしながらこの平均気泡径が可視光の波長よりも小さくなると、光がシートを透過して光反射板としての機能を喪失するために、平均気泡径としては少なくとも可視光の波長より大きいことが好ましい。
【００２６】
またシート１４の厚みが２００μｍより薄くなると、仮に他の要件を満たしていたとしても、シートの背面に漏洩する光の量が増加するために拡散反射率の低下が起る。しかも形状保持性も劣るようになって取扱い難くなる。よってシートの厚みは２００μｍ以上、より好ましくは５００μｍ以上である。
【００２７】
また発泡シート１４の比重が０．７を超えるものは、微細気泡の存在割合が小さいものであるために、気泡が存在していない部分における光吸収や透明化に基く光透過等の減少によって、光損失が増大し、その結果シート１４の拡散反射率は低下する。しかしながら比重が小さくなりすぎるとシートは気泡の存在割合が多すぎてその強度の低下を招くために、比重は０．０５以上であることが好ましい。なおここで言う比重とは水中置換法で測定された値のことを言う。このような熱可塑性ポリエステル発泡シート１４としては、例えばＭＣＰＥＴ（商品名、古河電工株式会社製）を好適例として挙げることができる。
【００２８】
本実施の形態においては熱可塑性ポリエステル発泡シート１４として、平均気泡径が１０μｍで、厚みが１ｍｍで、密度が０．２７ｇ／ｃｍ３  であって、４００〜７００ｎｍの光に対する拡散反射率が９４〜９５％のポリエチレンテレフタレートシートを用いている。なおここで言う拡散反射率とは、硫酸バリウムの微粉末を固めた白色板に対して４００〜７００ｎｍの波長域において分光光度計で測定したときの値を１００としたときの相対値で示すものである。
【００２９】
従ってパネル２０側にＥＬ素子シート２２を備えるとともにベース側に発泡シート１４を備えるバインダによれば、このバインダのパネル２０の内表面に接合されているＥＬ素子シート２２が面状光源を構成し、このような面状光源によって照明を行なうことが可能になる。従ってこのバインダに綴じられている書類や表示シート等を読む際に、照明を用いることなく上記ＥＬ素子シート２２を点灯させればよい。
【００３０】
またこのときに上側ベース１１の上面に接合される発泡シート１４が高い反射率で上方からの光を反射するために、上側ベース１１の表面で光が吸収されるのを抑えてＥＬ素子シート２２の発光する光を有効に利用できる。また上側ベース１１の表面の発泡シート１４の反射光を利用して、上側ベース１１の表面に薄い半透明の紙等を置いて発泡シート１４からの光を透過させることが可能になる。
【００３１】
図５はこのような実施の形態をメモ帳に適用したものであって、ベース１４の上端の背板４１にはパネル４２が回動自在に取付けられ、このパネル４２にフレーム４３を介してＥＬ素子シート４４が取付けられている。そしてメモ用紙４５をベース４０上に重ねて置き、メモ用紙４５によってメモを取る際にパネル４２の内表面のＥＬ素子シート４４を光らせてその照明光によって明るくしてメモを取ることが可能になる。
【００３２】
図１〜図３に示すバインダ、あるいは図５に示すメモ帳のようなバインダは、各種の用途に広く適用できる。すなわちアルバムのバインダ、メニューシートを入れるファイリング、宿帳のバインダ、宿やホテルの宿泊名簿のバインダ、ノート、ケースの表紙、手帳、説明書を綴じるファイリング、医療関係のファイリングノート等に広く利用可能である。
【００３３】
次に別の実施の形態を図６によって説明する。この実施の形態はベース４０上に本体部５０を取付けている。ここで本体部５０上にはさらに表示部５１とテンキー入力部５２と、漢字キー入力部５３とを配列している。これに対してパネル４２側には額縁状のフレーム４３によってその内表面にＥＬ素子シート４４を取付けており、携帯用電子辞典を構成している。
【００３４】
このような電子辞典を使用する場合には、テンキー入力部５２によって数字の入力を行ない、漢字キー入力部５３によって仮名あるいは漢字の入力を行なう。そして出力を表示部５１によって表示させる。暗いときに使用する場合には、上記ＥＬ素子シート４４の点灯を行ない、このＥＬ素子シート４４の全体から光を発して明るく照らしながら操作を行なう。従って暗いときでも、とくに照明を用いることなくしかもこの電子辞典の使用を行なうことが可能になる。
【００３５】
次に別の実施の形態を図７によって説明する。この実施の形態は例えば化粧用の収納箱５７に関するものであって、収納箱５７の上部開口を綴じるように蓋体５８がヒンジ５９によって回動自在に取付けられている。そして上記蓋体５８の内表面には鏡６０とＥＬ素子シート６１とが取付けられている。
【００３６】
従ってこのような化粧用収納箱５７内に収納されている物品を取出す際に暗い場合には、ＥＬ素子シート６１を点灯させて光らせ、その照明光を利用することが可能になる。あるいはまた化粧を行なう際に、暗いときにはＥＬ素子シート６１によって明るくするとともに、鏡６０によって自分の顔を写し出して見ることができる。従って暗いときでも照明をとくに必要とせずに化粧等を行なうことが可能になる。
【００３７】
次にさらに別の実施の形態を図８および図９によって説明する。この実施の形態は天板６５が回動式の机に関するものである。天板６５は左右一対の側板６６の上端に配されるとともに、背面側のヒンジ（図示せず）によって回動自在に支持されている。そして側板６６間には上記天板６５の下側に位置するように摺動板６７が摺動自在に配される。さらに摺動板６１の下側には引出し６８が取付けられている。そして上記天板６５の下面にＥＬ素子シート６９が取付けられている。
【００３８】
このような机は天板６５の上に物を置いたりあるいはその上で作業を行なうことができるとともに、この天板６５を図９に示すように背面側に回動させ、適当な位置でサポートアーム７０によって位置保持し、さらに必要に応じて摺動板６７を手前側に引出して事務作業等を行なうことが可能になっている。ここでとくに天板６５の下面に取付けられているＥＬ素子シート６９を点灯させると、このＥＬ素子シート６９が面状光源となって光を発し、これによって摺動板６７上を適当な明るさに維持することが可能になる。従って適正な明るさの下で摺動板６７上で事務をとることができるようになる。従って部屋の照明を点けることなくしかも適正な明るさで事務をとることができる。このような机は例えばホテルのサイドテーブル等に用いて好適なものである。
【００３９】
次に面状光源の別の例を図１０によって説明する。上記実施の形態は総て面状光源として有機ＥＬ素子２２を用いているが、このような有機ＥＬ素子２２に代えて、無機ＥＬ素子７２を用いることが可能である。無機ＥＬ素子７２は図１０に示すように、ガラス板７３、透明電極７４、蛍光体層７５、電極板７６をそれらの順に接合し、透明電極７４と電極板７６との間に交流電源７７を接続して発光させるようにしたものである。
【００４０】
一般に蛍光体としてはＺｎＳかＺｎ（Ｓ：Ｓｅ：Ｔｅ），（Ｚｎ，Ｃｄ）Ｓの固溶体を母体として、これに活性剤としてＣｕ等を加えるが、さらに蛍光体層の電気的耐圧を高めるために、蛍光体粉末を絶縁性のプラスチック中に埋込んで、５０μｍ程度の薄い膜にしたものを用いるのが好適である。無機ＥＬパネル７２は、この蛍光体層７５を誘電体として、コンデンサ状に平行電極７４、７６間に挟んだものであって、一方の電極として透明電極７４を用い、他方の電極としては反射板を兼用するアルミニウム板や金、銀、鉄等を用いるのが好適である。
【００４１】
高温度の物体は、その温度に特有な波長分布の光を放射しており、これを温度放射という。ところが温度によって決まる波長分布と異なる波長の光を放射するのをルミネッセンスと呼ぶ。ルミネッセンスはまたその発光機構によりいくつかに分類されるが、電界により励起発光する現象を電界発光またはエレクトロルミネッセンス（ＥＬ）という。エレクトロルミネッセンスにはある種の蛍光体に交流電圧を印加したときに、電界によってキャリヤが励起されて発光する真性電界発光と、注入形電界発光とが存在する。通常電界発光というと、蛍光体７５による真性電界発光を指すことが多い。ここではこの真空電界発光を利用したパネル７２を用い、このパネル７２を上記有機ＥＬ素子２２に代えて面状光源とするものである。このような面状光源によっても、上記有機ＥＬ素子２２とほぼ同様の発光を得ることができる。しかも無機ＥＬ素子７２は板状体としての剛性があるために、変形し難い性質が要求される場所で使用するのに好適である。
【００４２】
以上本願に含まれる発明を図示の実施の形態によって説明したが、本願発明は上記実施の形態によって限定されることなく、本願に含まれる発明の技術的思想の範囲内で各種の変更が可能である。例えば有機ＥＬ素子を用いた上記実施の形態におけるＥＬ素子シート２２、４４、６１、６９は何れも５層型の有機膜を用いたＥＬ素子であるが、本願発明は単層型、２層型、３層型、４層型等の有機ＥＬ素子にも用いることができる。あるいはまた高分子系のＥＬ素子を用いることも可能である。またフロント側のパネルの内表面にＥＬ素子シート２２を取付けたバインダやファイリングは上記実施の形態によって限定されることなく、各種の用途に広く適用可能である。
【産業上の利用可能性】
【００４３】
本願発明に係る発明の照明装置は、バインダ、メモ帳、電子辞典等の電子機器、収納箱、天板を備える机等のための発光照明手段として利用可能である。
【図面の簡単な説明】
【００４４】
【図１】第１の実施の形態のバインダの展開平面図である。
【図２】同側面図および断面図である。
【図３】同バインダの分解斜視図である。
【図４】このバインダの有機ＥＬ素子の原理を示す拡大断面図である。
【図５】変形例のメモ帳の外観斜視図である。
【図６】第２の実施の形態の電子辞典の外観斜視図である。
【図７】第３の実施の形態の化粧箱の外観斜視図である。
【図８】第４の実施の形態の回動式の天板を備える机の外観斜視図である。
【図９】同天板を開いた状態の外観斜視図である。
【図１０】無機ＥＬ素子の原理を示す拡大断面図である。
【符号の説明】
【００４５】
１１  上側ベース
１２  下側ベース
１３  固定用プレート
１４  発泡シート
１５、１６  切込み
１７  フック
２０  パネル
２１  フレーム
２２  ＥＬ素子シート
２３  押え板
２４  ヒンジ
２５  ヒンジ受け
２６  切込み
３０  ベースフィルム
３１  ＩＴＯ透明電極（陽極）
３２  ホール注入層
３３  ホール輸送層
３４  発光層
３５  電子輸送層
３６  電子注入層
３７  背面電極（陰極）
３８  直流電源
３９  スイッチ
４０  ベース
４１  背板
４２  パネル
４３  フレーム
４４  ＥＬ素子シート
４５  メモ用紙
５０  本体部
５１  表示部
５２  テンキー入力部
５３  漢字キー入力部
５７  収納箱
５８  蓋体
５９  ヒンジ
６０  鏡
６１  ＥＬ素子シート
６５  天板
６６  側板
６７  摺動板
６８  引出し
６９  ＥＬ素子シート
７０  サポートアーム
７２  無機ＥＬ素子
７３  ガラス板
７４  透明電極
７５  蛍光体層
７６  電極板
７７  交流電源
【図１】
2005019395.tif 000003
【図２】
2005019395.tif 000004
【図３】
2005019395.tif 000005
【図４】
2005019395.tif 000006
【図５】
2005019395.tif 000007
【図６】
2005019395.tif 000008
【図７】
2005019395.tif 000009
【図８】
2005019395.tif 000010
【図９】
2005019395.tif 000011
【図１０】
2005019395.tif 000012